(57)【要約】【課題】  コストを抑えたまま小型化が図られた画像表示装置を提供する。【解決手段】  デジタルカメラに備えられた画像表示装置２０であって、この画像表示装置２０が、光が透過する透過状態を有する画像表示パネル２１と、その画像表示パネル２１の裏面に配置されて製品名，型名，安全規格認証マーク，ロット番号，会社名等が記された機銘板２２とを備え、さらに画像表示パネル２１が、透過状態と反射状態とが電気的に制御される反射型表示板２１＿１と、透明トランジスタ２３１で構成された、反射型表示板２１＿１を駆動する駆動回路２１＿２とを備えた。【選択図】  図４
2006235480.tif 000002
【特許請求の範囲】
【請求項１】
光が透過する透過状態を有する画像表示パネルと、
前記画像表示パネル裏面に配置された装置関連情報表示体とを備えたことを特徴とする画像表示装置。
【請求項２】
前記画像表示パネルが、透過状態と反射状態とが電気的に制御される反射型表示板と、光透過性トランジスタで構成された、前記反射型表示板を駆動する駆動回路とを有することを特徴とする請求項１記載の画像表示装置。
【請求項３】
前記装置関連情報表示体が、この画像表示装置ないしはこの画像表示装置を備えた機器の機銘板であることを特徴とする請求項１記載の画像表示装置。
【請求項４】
前記装置関連情報表示体が、この画像表示装置ないしはこの画像表示装置を備えた機器あるいは持ち主のＩＤを記したものであることを特徴とする請求項１記載の画像表示装置。
【請求項５】
前記装置関連情報表示体の記載内容を無線で送信する手段を備えたことを特徴とする請求項１記載の画像表示装置。
【請求項６】
表示をオン、オフすることでそれぞれ反射状態と透過状態とに切り換えることを特徴とする請求項２記載の画像表示装置。
【発明の詳細な説明】
【技術分野】
【０００１】
本発明は、デジタルカメラや携帯電話等に好適に用いられる画像表示装置に関する。
【背景技術】
【０００２】
従来より、デジタルカメラや携帯電話等の携帯機器には画像表示装置が備えられており、デジタルカメラであれば、その画像表示装置には、撮像素子上に結像して得られた画像データに基づいた画像や各種のカメラ機能を設定するためのメニュー情報等が表示される。また、携帯電話であれば、その画像表示装置には、発信元の電話番号や電子メールに関する情報や、あるいはカメラ機能が搭載された携帯電話であればそのカメラで撮影された画像等が表示される。
【０００３】
このような画像表示装置において、表示用液晶パネルと、拡散型液晶パネルと、ミラー部とを積層して一体的に構成し、通常の表示モードにおいては表示用液晶パネルで情報を表示するとともに拡散型液晶パネルを拡散状態（白濁）に設定し、ミラーモードにおいては表示用液晶パネルおよび拡散型液晶パネルを透過状態にしてミラー部で光を反射させてミラーとして機能させる技術が提案されている（特許文献１参照）。この技術によれば、携帯機器にミラーを貼り付ける必要はなく、従って携帯機器の小型軽量化に貢献することができる。
【特許文献１】特開２０００−３５２７２４号公報
【発明の開示】
【発明が解決しようとする課題】
【０００４】
例えば、携帯機器の１つであるデジタルカメラでは、そのデジタルカメラの底面やバッテリ等を収容する収容蓋の裏面に、製品名，型名，安全規格認証マーク，ロット番号，会社名等を記した機銘板が貼り付けられている。近年、デジタルカメラの益々の小型軽量化および薄型化に伴い、上記機銘板を貼付するスペースを確保することが困難であるという問題がある。そこで、特許文献１に提案された技術を採用して、この機銘板をミラー部に記して表示用液晶パネルおよび拡散型液晶パネルの双方を透過状態にして、必要に応じてこの機銘板を視認することが考えられる。
【０００５】
しかし、表示用液晶パネルおよび拡散型液晶パネルの双方の液晶パネルが必要であるとともに、これら双方のパネルを拡散状態と透過状態とに制御する制御回路を備える必要がある。このため、画像表示装置の小型化に欠ける面があるとともにコストアップするという問題も発生する。
【０００６】
本発明は、上記事情に鑑み、コストを抑えたまま小型化が図られた画像表示装置を提供することを目的とする。
【課題を解決するための手段】
【０００７】
上記目的を達成する本発明の画像表示装置は、
光が透過する透過状態を有する画像表示パネルと、
上記画像表示パネル裏面に配置された装置関連情報表示体とを備えたことを特徴とする。
【０００８】
本発明の画像表示装置は、光が透過する透過状態を有する画像表示パネルの裏面に装置関連情報表示体を配置した構成であるため、この装置関連情報表示体を視認したい場合は上記画像表示パネルを透過状態にし、画像や各種のメニュー等を表示したい場合は上記画像表示パネルを通常の表示状態にすれば済む。従って、画像表示装置で装置関連情報表示体である銘板等を視認するにあたり、表示用液晶パネルと拡散型液晶パネルとの双方の液晶パネルを必要とする技術と比較し、１つの画像表示パネルで済み、コストを抑えたまま小型化が図られた画像表示装置を実現することができる。
【０００９】
ここで、上記画像表示パネルが、透過状態と反射状態とが電気的に制御される反射型表示板と、光透過性トランジスタで構成された、上記反射型表示板を駆動する駆動回路とを有することが好ましい。
【００１０】
このようにすると、後述する実施形態に示すように、反射型表示板に重なる位置に、光透過性トランジスタで構成された駆動回路を配置することができるため、表示用液晶パネルと拡散型液晶パネルとの双方の液晶パネルに並べて駆動回路を配置する場合と比較し、さらなる小型化を図ることができる。
【００１１】
また、上記装置関連情報表示体が、この画像表示装置ないしはこの画像表示装置を備えた機器の機銘板であることも好ましい態様である。
【００１２】
このようにすると、デジタルカメラ等の携帯機器において必要とされる機銘板を、底面や収容蓋の裏面に貼付する必要もなく、従って携帯機器の小型軽量化および薄型化に貢献することができる。
【００１３】
さらに、上記装置関連情報表示体が、この画像表示装置ないしはこの画像表示装置を備えた機器あるいは持ち主のＩＤを記したものであることも好ましい。
【００１４】
装置関連情報表示体が、このようなＩＤを記したものであると、上記画像表示装置ないしは上記機器あるいは持ち主を即座に確認することができる。
【００１５】
また、上記装置関連情報表示体の記載内容を無線で送信する手段を備えたことも好ましい。
【００１６】
装置関連情報表示体の記載内容を無線で送信する手段を備えると、例えば機器の持ち主のＩＤを外部に送信することができ、従って機器の持ち主が本人であるか否かを確認することができる。
【００１７】
さらに、表示をオン、オフすることでそれぞれ反射状態と透過状態とに切り換えることも好ましい態様である。
【００１８】
このようにすると、反射状態と透過状態とを簡単に切り換えることができる。
【発明の効果】
【００１９】
本発明によれば、コストを抑えたまま小型化が図られた画像表示装置を提供することができる。
【発明を実施するための最良の形態】
【００２０】
以下、本発明の実施の形態について説明する。
【００２１】
図１は、本発明の画像表示装置の第１実施形態が組み込まれたデジタルカメラを前面斜め上から見た外観斜視図である。
【００２２】
図１に示すデジタルカメラ１０は、小型軽量化および薄型化が実現されてなるデジタルカメラである。このデジタルカメラ１０の前面中央部には、光学ズームレンズである撮影レンズ１０＿１ａを内部に備えたズーム鏡胴１０＿１が備えられている。また、このデジタルカメラ１０の前面上部には、撮影に同期してフラッシュ光を発するフラッシュ発光装置１０＿２と、フラッシュ発光装置１０＿２からのフラッシュ光の光量を制御するためにそのフラッシュ光の光量を検出するフラッシュ調光センサ１０＿３と、光学式ファインダ対物窓１０＿４とが備えられている。
【００２３】
また、このデジタルカメラ１０の前面左側には、スライド式の電源スイッチ１０＿５と、このデジタルカメラ１０に内蔵されたバッテリを充電しているときに点灯したり画像データの伝送時やセルフタイマ作動時等に点滅したりするイルミネーションランプ１０＿６が備えられている。さらに、このデジタルカメラ１０の上面には、シャッタボタン１０＿７が備えられている。
【００２４】
図２は、図１に示すデジタルカメラを背面斜め上から見た外観斜視図である。
【００２５】
図２に示すデジタルカメラ１０の背面上部には、光学式ファインダ接眼窓１０＿２２と、撮影準備完了等に点灯したり撮影中に点滅したりするファインダランプ１０＿２３と、静止画モード，再生モード，動画撮影モードを切り換えるモードスイッチ１０＿２４とが備えられている。また、モードスイッチ１０＿２４の右側には、マクロボタン１０＿２５と、ズームボタン１０＿２６と、フラッシュボタン１０＿２７とが備えられている。
【００２６】
マクロボタン１０＿２５は、マクロ撮影を行なうか否かを切り換えるボタンであり、一度押下するとマクロ撮影モードとなり、再度押下するとマクロ撮影モードが解除される。
【００２７】
ズームボタン１０＿２６は、上方に向けて押下することにより望遠側（テレ側）にズームアップするとともに下方に向けて押下することにより広角側（ワイド側）にズームダウンするボタンである。また、このズームボタン１０＿２６は、単に押下することにより、後述する画像表示装置２０に表示される各種のメニューを選択するボタンでもある。
【００２８】
フラッシュボタン１０＿２７は、押下する毎に、オートフラッシュ→赤目低減フラッシュ→強制フラッシュ→フラッシュ禁止→スローシャッタでのフラッシュ→オートフラッシュというようにフラッシュの状態を繰り返し切り換えるためのボタンである。
【００２９】
また、デジタルカメラ１０の背面中央部には、画像表示装置２０と、ＭＥＮＵ／ＯＫボタン１０＿２９と、ＢＡＣＫボタン１０＿３０と、ＤＩＳＰボタン１０＿３１と、透過モードボタン１０＿３２とが備えられている。
【００３０】
画像表示装置２０は、本発明の画像表示装置の第１実施形態に相当し、詳細は後述するが、光が透過する透過状態を有する画像表示パネルと、この画像表示パネル裏面に配置された機銘板（本発明にいう装置関連情報表示体の一例に相当）とを備えている。また、この画像表示パネルは、デジタルカメラ１０で被写体光を捉えて生成された画像データからなる画像や種々の設定時における情報等を表示する通常の表示モードを有する。
【００３１】
ＭＥＮＵ／ＯＫボタン１０＿２９は、撮影時や再生時における各種のメニューを表示したり、上記ズームボタン１０＿２６により選択されたメニューを決定するためのボタンである。
【００３２】
ＢＡＣＫボタン１０＿３０は、ＭＥＮＵ／ＯＫボタン１０＿２９による操作状態を１つ前に戻したり取り消したりするためのボタンである。
【００３３】
ＤＩＳＰボタン１０＿３１は、撮影時に画像表示装置２０の表示をオン，オフしたり、再生時に文字表示をオン，オフしたりするためのボタンである。
【００３４】
透過モードボタン１０＿３２は、後述する透過モードや通常の表示モードに設定するためのボタンである。
【００３５】
さらに、デジタルカメラ１０の背面下部には、バッテリおよびメモリカードを収容する収容蓋１０＿３３が備えられている。
【００３６】
図３は、図１、図２に示すデジタルカメラの回路構成を示すブロック図である。
【００３７】
このデジタルカメラ１０には、撮影光学系を構成するズームレンズ１０＿１ａ，アイリス１０＿１ｂ，フォーカスレンズ１０＿１ｃと、それらズームレンズ１０＿１ａ，アイリス１０＿１ｂ，フォーカスレンズ１０＿１ｃを駆動することによりズーミング，フォーカシング，露光量調整を行なうためのモータドライバ１１１，１１２，１１３が備えられている。
【００３８】
また、デジタルカメラ１０には、ＣＣＤ１１４と、タイミングジェネレータ１１５と、ＭＰＵ（Ｍｉｃｒｏ  Ｐｒｏｃｅｓｓｏｒ  Ｕｎｉｔ）１１６とが備えられている。
【００３９】
ＣＣＤ１１４は、ズームレンズ１０＿１ａ，アイリス１０＿１ｂ，フォーカスレンズ１０＿１ｃを経由してきた被写体光を捉える固体撮像素子である。このＣＣＤ１１１４には、入射された被写体光を電気信号である画像信号に変換するフォトダイオード等の光電変換素子が多数個備えられている。
【００４０】
タイミングジェネレータ１１５は、ＭＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００４１】
ＭＰＵ１１６は、このデジタルカメラ１０全体の制御を行なう。具体的には、ＭＰＵ１１６にはＲＯＭ１１６ａが内蔵されており、その内蔵されたＲＯＭ１１６ａのプログラムの手順にしたがってデジタルカメラ１０全体の動作が制御される。
【００４２】
さらに、デジタルカメラ１０には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００４３】
また、デジタルカメラ１０には、ＳＤＲＡＭ１２５の画像データを読み出させ、ＹＣ信号への変換を行なう画像処理プロセスを実行する画像信号処理部１２０と、画像処理プロセスが終了した時点でＪＰＥＧプロセスを実行して画像データの圧縮を行なう圧縮処理部１２１と、画像データをビデオ信号に変換して前述した液晶モニタ１０＿３４に導くためのＶｉｄｅｏ／ＬＣＤエンコーダ１２２とが備えられている。
【００４４】
さらに、デジタルカメラ１０には、画像のピント情報を検出するＡＦ検出部１２３と、画像の輝度情報と白色バランス情報を検出するＡＥ＆ＡＷＢ検出部１２４と、作業領域用のメモリとしても使用されるＳＤＲＡＭ１２５と、Ａ領域，Ｂ領域を有する表示用のバッファとしてのＶＲＡＭ１２６と、画像データを記録メディア１０＿５４に記憶するための制御を行なうメディアコントローラ１２７とが備えられている。
【００４５】
尚、この図３には、前述したシャッタボタン１０＿７，モードスイッチ１０＿２４，マクロボタン１０＿２５，ズームボタン１０＿２６，フラッシュボタン１０＿２７，ＭＥＮＵ／ＯＫボタン１０＿２９，ＢＡＣＫボタン１０＿３０，ＤＩＳＰボタン１０＿３１，透過モードボタン１０＿３２からなる操作部１０＿１００が示されている。
【００４６】
このデジタルカメラ１０の動作は統括的にＭＰＵ１１６により制御される。このＭＰＵ１１６内にはＲＯＭ１１６ａが内蔵されており、その内蔵されたＲＯＭ１１６ａ内にプログラムが格納されている。このプログラムの手順にしたがってデジタルカメラ１０全体の動作がＭＰＵ１１６により制御される。また、ＳＤＲＡＭ１２５にはＲＯＭ１１１６ａに記述されているプログラムの手順にしたがってＭＰＵ１１６がこのデジタルカメラ１０全体を制御しているときに、処理中の画像データが一時的に格納されたりする。
【００４７】
また、表示用のバッファとしてのＶＲＡＭ１２６にはスルー画像を表わす画像データがＡ領域、Ｂ領域に順次記憶され、それらの領域にある画像データが交互にＶｉｄｅｏ／ＬＣＤエンコーダ１２２に供給され画像データに基づく画像が順次切り換えられてスルー画像として画像表示装置２０上に表示される。
【００４８】
次に、このデジタルカメラ１０の画像データの流れを、図３を参照して説明する。ＭＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理部１２０で表示可能な画像データに変換してスルー画像を画像表示装置２０の画面上に表示させる。そのスルー画像に基づいて任意にフレーミングが行なわれ、ＡＦ検出部１２３が絶えずフォーカスレンズ１０＿１ｃを前後させ合焦点検出を行なってフレーミングの中央に焦点のあった画像をＣＣＤ１１４に結像させる。このときにはＡＥ＆ＡＷＢ検出部１２４によって被写界輝度が検出され、その検出結果に基づいてモータドライバ１１２により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。撮影者はこのスルー画像を見ながらフレーミングを行ない、シャッタチャンスにレリーズ操作を行なう。
【００４９】
レリーズ操作が行なわれると、ＭＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＭＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＭＰＵ１１６が画像信号処理部１２０の画像処理プロセスを起動させ、その画像処理プロセスによってＳＤＲＡＭ１２５の画像データを読み出させ、ＹＣ信号への変換を行なわせる。さらに、この画像信号処理部１２０の画像処理プロセスが終了したことをＭＰＵ１１６が検知すると、ＭＰＵ１１６は圧縮処理部１２１のＪＰＥＧプロセスを起動させ、ＪＰＥＧプロセスによって画像データの圧縮を行なわせる。この圧縮処理部１２１での圧縮が完了したことをＭＰＵ１１６が検知すると、ＭＰＵ１１６は次に記録処理プロセスを起動させ、ＪＰＥＧ圧縮された画像データを、メディアコントローラ１２７を介して記録メディア１０＿５４に記録させる。以上が撮影データの流れである。
【００５０】
次に、画像表示装置２０の構成について図４を参照して説明する。
【００５１】
図４は、図３に示す画像表示装置の分解斜視図である。
【００５２】
図４に示す画像表示装置２０には、光が透過する透過状態を有する画像表示パネル２１と、その画像表示パネル２１の裏面に配置された機銘板２２が備えられている。
【００５３】
さらに、画像表示パネル２１は、透過状態と反射状態とが電気的に制御される反射型表示板２１＿１と、透明トランジスタ２３１（本発明にいう光透過性トランジスタの一例に相当）で構成された、反射型表示板２１＿１を駆動する駆動回路２１＿２とを有する。
【００５４】
また、機銘板２２は、この画像表示装置２０を備えたデジタルカメラ１０の機銘板である。機銘板２２の部分２２＿１には、詳細は後述するが、製品名，型名，安全規格認証マーク，ロット番号，会社名等が記されている。
【００５５】
図５は、図４に示す透明トランジスタの作成手順を示した断面図、図６は、図５に示す透明電極を有するＰ1層，Ｎ層，Ｐ2層を上から見た図である。
【００５６】
図４に示す透明トランジスタ２３１を作成するには、先ず、図５（ａ）に示すように、透明絶縁層２３１＿１を形成する。次いで、図５（ｂ）および図６に示すように、透明絶縁層２３１＿１上に、透明電極２３１＿２ａを有するＰ型の透明半導体層（Ｐ1層）２３１＿２，透明電極２３１＿３ａを有するＮ型の透明半導体層（Ｎ層）２３１＿３，透明電極２３１＿４ａを有するＰ型の透明半導体層（Ｐ2層）２３１＿４を順次に形成する。
【００５７】
さらに、図５（ｃ）に示すように、透明絶縁層２３１＿５を形成する。このようにして、透明トランジスタ２３１を作成する。
【００５８】
ここで、透明トランジスタ２３１の製造方法の詳細について説明する。
【００５９】
透明トランジスタ２３１を形成させる基板としては、ガラス基板あるいはフイルム基板が用いられる。
【００６０】
透明トランジスタ２３１の形成方法としては、上記基板上に、ＭＢＥ法、パルスレーザー蒸着法（ＰＬＤ法）等により、ＺｎＯ単結晶薄膜をエピタキシャル成長させ、次に、そのＺｎＯ薄膜上に、ＩｎＭＯ3（ＺｎＯ）ｍ（Ｍ＝Ｉｎ，Ｆｅ，Ｇａ，Ａｌ、ｍ＝１以上５０未満の整数）と記述されるホモロガス化合物薄膜を、ターゲットとして、その酸化物の多結晶焼結体を使用して、ＭＢＥ法、パルスレーザー蒸着法（ＰＬＤ法）等により成長させる方法が挙げられる。
【００６１】
得られた薄膜は、単結晶膜である必要はなく、多結晶膜でも、アモルファス膜でも良い。最後に、薄膜全体をカバーできるように高融点化合物、例えばＡｌ2Ｏ3を被せ、高温で、ＺｎＯ蒸気を含む大気圧中で加熱拡散処理を行なうことが好ましい。
【００６２】
ＩｎＭＯ3（ＺｎＯ）ｍ（Ｍ＝Ｉｎ，Ｆｅ，Ｇａ、又はＡｌ、ｍ＝１以上５０未満の整数）とＺｎＯ膜が相互に拡散・反応し、温度を適切に設定すれば、均一組成ＩｎＭＯ3（ＺｎＯ）ｍ'（Ｍ＝Ｉｎ，Ｆｅ，Ｇａ、又はＡｌ、ｍ'＝１以上５０未満の整数）となる。ｍ'は、ＩｎＭＯ3（ＺｎＯ）ｍ（Ｍ＝Ｉｎ，Ｆｅ，Ｇａ、又はＡｌ、ｍ＝１以上５０未満の整数）とＺｎＯ膜厚比から決まるが、ＺｎＯ膜厚が５ｎｍ未満で、ＩｎＭＯ3（ＺｎＯ）ｍ（Ｍ＝Ｉｎ，Ｆｅ，Ｇａ、又はＡｌ、ｍ＝１以上５０未満の整数）膜厚が１００ｎｍを越える場合には、ｍ＝ｍ'である。
【００６３】
適切な温度は８００℃以上，１６００℃以下、より好ましくは１２００℃以上，１５００℃以下である。８００℃未満では拡散が遅く、均一組成のＩｎＭＯ3（ＺｎＯ）ｍ（Ｍ＝Ｉｎ，Ｆｅ，Ｇａ、又はＡｌ、ｍ＝１以上５０未満の整数）が得られない。また，１６００℃を越えるとＺｎＯの蒸発が抑えられなくなり均一組成のＩｎＭＯ３（ＺｎＯ）ｍ（Ｍ＝Ｉｎ，Ｆｅ，Ｇａ、又はＡｌ、ｍ＝１以上５０未満の整数）が得られない。
【００６４】
また、反応性固相エピタキシャル成長法で得られたＺｎＯを含むホモロガス単結晶膜は、化学量論組成に近く、室温では、１０８Ｗ・ｃｍ以上の高い絶縁性を示し、ノーマリーオフ電界効果型トランジスタに適している。
【００６５】
得られたＺｎＯを主たる構成成分として含有するホモロガス単結晶薄膜を活性層とした、トップゲート型ＭＩＳ電界効果型トランジスタを作製することができる。
【００６６】
先ず、基板上にエピタキシャル成長したＺｎＯを主たる構成成分として含有するホモロガス単結晶薄膜上にゲート絶縁膜及びゲート電極用の金属膜を形成する。ゲート絶縁膜には、Ａｌ2Ｏ3が最も適している。ゲート電極用金属膜は、Ａｕ，Ａｇ，Ａｌ、又はＣｕ等を用いることができる。光リソグラフィー法及びドライエッチング、又はリフトオフ法により、ゲート電極を作製し、最後に、ソース電極及びドレイン電極を作成する。
【００６７】
本実施形態の電界効果型トランジスタの形状は、トップゲート型ＭＩＳ電界効果型トランジスタ（ＭＩＳ−ＦＥＴ）、Ｊ−ＦＥＴ等も含まれる。
【００６８】
ＺｎＯを主たる構成成分として含有するホモロガスアモルファス薄膜を用いても、同様に、トップゲート型ＭＩＳ電界効果型トランジスタを作成することができる。また、アモルファス薄膜の場合は、エピタキシャル成長させる必要はないので、ＺｎＯエピタキシャル成長及び高温アニールプロセスを除くことができる。このために、ゲート電極を基板と膜の間に作りつけることが可能で、ボトムゲート型ＭＩＳ電界効果型トランジスタも作製することができる。
【００６９】
以下に実施例を挙げて詳細に説明する。
【００７０】
実施例１
１．単結晶ＩｎＧａＯ3（ＺｎＯ）5薄膜の作製
シリコン単結晶基板上にＰＬＤ法により厚み２ｎｍのＺｎＯ薄膜を基板温度７００℃でエピタキシャル成長させた。次に、基板温度を室温まで冷却し、そのＺｎＯエピタキシャル薄膜上にＰＬＤ法により、厚み１５０ｎｍの多結晶ＩｎＧａＯ3（ＺｎＯ）5薄膜を堆積させた。こうして作製した二層膜を大気中に取り出し、電気炉を用いて、大気中、１４００℃、３０ｍｉｎ加熱拡散処理した後、室温まで冷却した。
２．ＭＩＳＦＥＴ素子の作製
フォトリソグラフィー法により、トップゲート型ＭＩＳＦＥＴ素子を作製した。ソースとドレイン電極及びゲート絶縁膜にはＡｕ及びアモルファスＡｌ2Ｏ3をそれぞれ用いた。チャネル長及びチャネル幅はそれぞれ０．０５ｍｍ及び０．２ｍｍである。
【００７１】
次に、図４に示す、透過状態と反射状態とが電気的に制御される反射型表示板２１＿１について説明する。反射型表示板２１＿１には液晶が封入されている。ここで、液晶方式について説明する。液晶方式としては、ホログラフィック液晶方式、コレステリック液晶選択反射方式、ゲストホスト方式、高分子分散型液晶方式（ＰＤＬＣ）が知られている。これら液晶方式における液晶は、二周波駆動液晶と組合せて用いることが好ましい。
【００７２】
先ず、ホログラフィック液晶方式について説明する。
【００７３】
ホログラフィック液晶方式とは、ネマチック液晶にモノマーを添加した系に、二光束干渉法により特定の波長の光だけ選択反射するような周期的な屈折率の分布を形成させる方法である。
【００７４】
図７は、ホログラフィック液晶方式の原理を説明するための模式図である。
【００７５】
図７に示す、ホログラフィック液晶方式を採用した反射型表示板２１＿１０には、液晶分子２１＿１１と、ポリマー２１＿１２と、それら液晶分子２１＿１１およびポリマー２１＿１２を封止する封止部材２１＿１３とが備えられている。
【００７６】
反射モードにおいては、液晶分子２１＿１１はランダムであり、ポリマー２１＿１２との屈折率の差は大きい。このため、入射光Ａはブラッグ反射の原理により、図７に示す反射光Ｂのように、いわゆる選択反射される。
【００７７】
一方、透過モードにおいては、液晶分子２１＿１１は垂直であり、ポリマー２１＿１２との液晶分子２１＿１１の長軸方向の屈折率はほぼ同じである。このため、屈折率の差は小さく、従って入射光Ａは透過することとなる。
【００７８】
次に、コレステリック液晶選択反射方式について説明する。
【００７９】
図８は、コレステリック液晶選択反射方式の原理を説明するための模式図である。
【００８０】
図８に示す、コレステリック液晶選択反射方式を採用した反射型表示板２１＿２０には、液晶分子２１＿２１と、透明電極２１＿２２が備えられている。
【００８１】
コレステリック液晶選択反射方式においては、二色性色素は入っておらず、このコレステリック液晶選択反射方式では、液晶分子２１＿２１の屈折率分布を光の波長程度にすることで、特定の波長の光のみ選択反射させる。
【００８２】
ここで、コレステリック状態とは、コレステリック液晶、またはカイラル剤とネマティック液晶との混合物により形成させる螺旋状の配向状態であり、螺旋ピッチに応じた波長の光を選択的に反射する性質を示す。図８（ａ）に示すように、コレステリック相の螺旋軸が透明電極２１＿２２に対して垂直に向いている状態をプラナー状態と呼び、螺旋ピッチに応じた波長の光Ａを選択的に光Ｂとして反射する性質を示す。一方、図８（ｂ）に示すように、コレステリック相の螺旋軸が透明電極２１＿２２に対して水平に向いている状態をフォーカルコニック状態と呼び、この場合光Ａは反射されず、透過する。このプラナー状態とフォーカルコニック状態は電圧の印加方法により、作り分けることができ、また各々の状態はメモリ性を有するという特徴がある。コレステリック相転移の駆動方式については、特開２００１−２０１７６２号公報に記載の方法が参考となる。螺旋ピッチの制御は、カイラル剤の濃度を変えることによってできる。通常、カイラル剤の濃度が高いほど、螺旋ピッチは短くなり、より短波長側の光を選択反射するようになる。
【００８３】
次に、ホログラフィック液晶方式およびコレステリック液晶選択反射方式の実施例について説明する。
【００８４】
実施例１．ホログラフィック液晶方式
液晶層として、二周波駆動用ネマチック液晶ＤＦ０２ｘｘ（チッソ社製）、モノマーとして２―エチルヘキシルアクリレートとウレタンアクリレートオリゴマーの混合物を用いて、そこに光重合開始剤を添加した液晶層を作製した。アルゴンレーザー（４８８ｎｍ）の二光束干渉法による光硬化を行い、４００ｎｍから７００ｎｍの光を選択反射する調光フィルタ（セルギャップ２５μｍ）を作製した。
【００８５】
本実施例の素子は、５５０ｎｍの光に対して、透過率が８５％（電圧印加時の状態）から、透過率が２．０％（電圧無印加の状態）にまで変化させることができる。
【００８６】
実施例２．コレステリック液晶方式
液晶として、５ＣＢ（メルク社製）を、カイラル剤としてＲ―８１１およびＳ―８１１（ともにメルク社製）を用いて、カイラル剤の濃度を調製することにより可視域の光（４００ｎｍから７００ｎｍ）を選択反射する右巻きのコレステリック液晶層と左巻きのコレステリック液晶層を作製し（セルギャップ１０μｍ）、これら２層を積層させた。
【００８７】
本実施例の素子は、５５０ｎｍの光に対して、透過率が９０％（フォーカルコニックの状態）から、透過率が３２．０％（プレナーの状態）にまで変化させることができる。
【００８８】
次に、ゲストホスト方式について説明する。
【００８９】
ゲストホスト方式における液晶層は、交流電場の周波数に応じて液晶分子の配列が変化する性質をもつネマチック液晶と、可視域の光を吸収する二色性色素（必要に応じて、イエロー域を吸収する二色性色素、マゼンタ域を吸収する二色性色素、シアン域を吸収する二色性色素を適宜混合して用いる）を組成成分としている。さらに液晶層には、後述するように液晶分子の配列がらせん状になるようにするため、カイラル剤が加えられる。例えば、ネマチック液晶は、チッソ社製の二周波駆動用ネマチック液晶ＤＦ０２ｘｘであり、二色性色素は、三井東圧社製の黒色色素である。また、カイラル剤として、メルク社製のＲ―８１１が用いられる。ネマチック液晶の液晶分子は、ほぼ楕円体の形状をしており、低周波の交流電場をかけると楕円体の長軸が電場の向きと平行になり、高周波の交流電場をかけると楕円体の長軸が電場の向きと直交する性質を持つ。カイラル剤を加えることにより、楕円体の長軸が電場の向きと直交するときの配位は、電場の方向をらせん軸としたらせん状の配位となる。可視域の光を吸収する二色性色素は、ネマチック液晶中に溶解しているため、交流電場の周波数の変化に対してネマチック液晶分子と同様に配列が変化する。この二色性色素もほぼ楕円体の形状をしており、楕円体の長軸と光の入射方向が直交している時は可視域の光を吸収するが、楕円体の長軸と光の入射方向が平行の時は可視域の光を吸収しない性質を持つ。そのため、楕円体の長軸と光の方向が平行の時は、赤、緑、青の３色全ての波長域の光が透過し、外部からは液晶層は透明に見える。また、楕円体の長軸と光の入射方向が直交している時、二色性色素がらせん状の配位をとることで、長軸方向が、電場方向と垂直な２次元面内の様々な方向を向き、このため可視域の光がどの方向から入射しても吸収しやすくなる。以下では、交流電場の周波数の変化に伴うこのような配列の変化について具体的に説明する。
【００９０】
例えば、液晶分子層における電場は、これらの液晶分子層に垂直な方向に印加される。二色性色素と液晶分子は、それぞれの液晶分子層内ではどれも同じ方向に配列されるが、この配列は液晶分子層全体ではらせん状になっている。赤、緑、青のそれぞれの波長域の光は、電場と平行に、すなわち液晶分子層に対して垂直に入射し、二色性色素によって可視域の光が吸収される。液晶層のこのような状態をオン状態と呼ぶ。
【００９１】
低周波の交流電場をかけたとき、電場の方向に対して液晶分子の長軸は、電場の向きと平行になるため、二色性色素も長軸が電場の向きと平行になるように配列される。光は、電場の向きと平行に入射するが、光の入射方向と二色性色素の長軸とが平行であるため、入射光はそのまま液晶層を透過する。液晶層のこのような状態をオフ状態と呼ぶ。以上説明した構成を用いたときのオン状態とオフ状態の切り替えにかかる時間は、例えば８ｍｓ〜１０ｍｓである。
【００９２】
図９は、図４に示す機銘板の部分を拡大して示す図である。
【００９３】
図９には、機銘板２２の部分２２＿１が示されている。この部分２２＿１は、デジタルカメラ１０の名称が記された名称部２２＿１ａと、機種名が記された機種名部２２＿１ｂと、安全規格認証マークが記された安全規格認証マーク部２２＿１ｃと、ＶＣＣＩ規格認証マークが記されたＶＣＣＩ規格認証マーク部２２＿１ｄと、ロット番号が記されたロット番号部２２＿１ｅとを有する。
【００９４】
さらに、この部分２２＿１は、製造元の会社名が記された会社名部２２＿１ｆと、製造元の国名が記された国名部２２＿１ｇを有する。
【００９５】
以上説明したように、本実施形態のデジタルカメラ１０は、光が透過する透過状態を有する画像表示パネル２１の裏面に機銘板２２を配置した構成であるため、機銘板２２を視認したい場合は透過モードボタン１０＿３２を押下して画像表示パネル２１を透明モードに設定し、画像や各種のメニュー等を表示したい場合は透過モードボタン１０＿３２を再度押下して画像表示パネル２１を通常の表示モードに設定すれば済む。従って、画像表示装置２０で機銘板２２を視認するにあたり、表示用液晶パネルと拡散型液晶パネルとの双方の液晶パネルを必要とする技術と比較し、１つの画像表示パネル２１で済み、コストを抑えたまま小型化が図られている。
【００９６】
また、図４を参照して説明したように、反射型表示板２１＿１に重なる位置に、透明トランジスタ２３１で構成された駆動回路２１＿２が配置された構成であるため、表示用液晶パネルと拡散型液晶パネルとの双方の液晶パネルに並べて駆動回路を配置する場合と比較し、さらなる小型化が図られている。
【００９７】
さらに、デジタルカメラ１０に必要とされる機銘板を、底面や収容蓋の裏面に貼付する必要もなく、従ってデジタルカメラ１０の小型軽量化および薄型化に貢献している。
【００９８】
図１０、図１１は、本発明の画像表示装置の第２実施形態が組み込まれた携帯電話の、それぞれ表面および裏面を示す外観斜視図である。
【００９９】
図１０および図１１に示す携帯電話３０は、上部３１０と下部３２０とからなる折り畳み式の携帯電話である。
【０１００】
上部３１０には、図１０に示すように、本発明の画像表示装置の第２実施形態である画像表示装置３４０と、スピーカからの音声を放つための送話口３１２と、アンテナ３１３とが備えられている。また、上部３１０には、図１１に示すように、撮影レンズ部３１４が備えられている。
【０１０１】
一方、下部３２０には、図１０に示すように、各種の操作ボタン３２１＿１，３２１＿２からなる操作部３２１と、話者の声をマイクロホンに伝えるための受話口３２２が設けられている。
【０１０２】
図１２は、図１０、図１１に示す携帯電話の内部の概略構成を示すブロック図である。
【０１０３】
この携帯電話３０には、撮影レンズ３１４＿２と、ＣＣＤ固体撮像素子３３１が備えられている。
【０１０４】
また、この携帯電話３０には、ＣＣＤ固体撮像素子３３１で得られた画像信号を入力して、利得調整、Ａ／Ｄ変換、ホワイトバランス補正、ガンマ補正等の各種画像処理を行なう画像処理部３３２が備えられている。
【０１０５】
さらに、この携帯電話３０には、前述した画像表示装置３４０が備えられている。この画像表示装置３４０は、詳細は後述するが、光が透過する透過状態を有する画像表示パネルと、この画像表示パネル裏面に配置された銘板（本発明にいう装置関連情報表示体の他の一例に相当）とを備えている。また、この画像表示パネルは、画像処理部３３２で画像処理された画像信号に基づいた画像や種々の設定時における情報等を表示する通常の表示モードを有する。
【０１０６】
また、この携帯電話３０には、記録部３３３が備えられており、画像処理部３３２における、さらに圧縮処理の行なわれた画像信号が送られてその記録部３３３に配備された画像メモリ（図示せず）に画像信号が記録される。
【０１０７】
さらに、この携帯電話３０には、図１０にも示す、多数の操作ボタンが配列されそれらの操作ボタンの操作の検出が行なわれる操作部３２１、および制御部３３４が備えられており、この操作部３２１における操作ボタンの操作状態に基づいて、画像処理部３３２、記録部３３３、画像表示装置３４０、および後述する通信部３３５の動作を制御部３３４で制御する。
【０１０８】
この図１２に示すマイクロホン３３６は、図１０に示す受話口３２２の内側の位置に配備されていて話者の声をピックアップするものであり、スピーカ３３７は、図１０に示す送話口３１２の内側に配備されていて、電話の相手から送られてきた音声を発するものである。
【０１０９】
通信部３３５は、それらマイクロホン３３６とスピーカ３３７、さらに図１０、図１１にも示すアンテナ３１３に接続され、制御部３３４の制御を受けて、電話のための通信を担当している。この通信部３３５はいわゆる電子メールの送受信も担当するが、本発明の特徴とは直接な関係がないため電話や電子メールの機能についてはこれ以上の詳細説明は省略する。
【０１１０】
図１３は、図１２に示す画像表示装置の分解斜視図である。
【０１１１】
尚、図４に示す画像表示装置２０の構成要素と同じ構成要素には同一の符号を付し、異なる点について説明する。
【０１１２】
図１２に示す画像表示装置３４０は、図４に示す画像表示装置２０と比較し、銘板３４１が異なっている。この銘板３４１は、この携帯電話３０の持ち主のＩＤを記した部分３４１＿１を有する。
【０１１３】
図１４は、図１３に示す銘板の部分を拡大して示す図である。
【０１１４】
図１４には、銘板３４１の部分３４１＿１が示されている。この部分３４１＿１には、持ち主のＩＤ番号ＸＸＸＸＸＸが記されている。
【０１１５】
本実施形態の携帯電話３０は、光が透過する透過状態を有する画像表示パネル２１の裏面に銘板３４１を配置した構成であるため、銘板３４１の部分３４１＿１に記された持ち主のＩＤ番号を視認したい場合は操作部３２１における所定の操作ボタンを押下して画像表示パネル２１を透明モードに設定し、画像や各種のメニュー等を表示したい場合は再度上記操作ボタンを押下して画像表示パネル２１を通常の表示モードに設定すれば済む。従って、画像表示装置３４０で持ち主のＩＤ番号を視認するにあたり、表示用液晶パネルと拡散型液晶パネルとの双方の液晶パネルを必要とする技術と比較し、１つの画像表示パネル２１で済み、コストを抑えたまま小型化が図られている。また、以下のようにして、視認されたＩＤ番号と、この携帯電話３０で得られた外部からの情報とを比較することにより、本人（持ち主）である旨を確認することができる。
【０１１６】
図１５は、図１０、図１１に示す携帯電話の、本人である旨を確認するための処理ルーチンのフローチャートである。
【０１１７】
先ず、ステップＳ１において、電話中でないか否かが判定される。電話中であると判定された場合はこのルーチンを終了する。一方、電話中でないと判定された場合は、ステップＳ２に進む。
【０１１８】
ステップＳ２では、本人を確認するための情報通信モードであるか否かが判定される。情報通信モードでないと判定された場合はこのルーチンを終了する。一方、情報通信モードであると判定された場合は、ステップＳ３に進む。ステップＳ３では、画像表示装置３４０の表示をオフし、透明トランジスタで透明状態に制御する。これにより、画像表示装置３４０に情報（持ち主のＩＤ番号）を表示する。尚、本実施形態では、持ち主のＩＤとしてＩＤ番号を表示する例で説明するが、これに限られるものではなく、持ち主本人の顔の画像であってもよく、あるいは生年月日であってもよく、要するに本人を証明することのできる情報であればよい。
【０１１９】
次に、ステップＳ４において、送信ＯＫか否かが判定される。送信ＯＫでないと判定された場合はこのステップＳ４を繰り返し実行する。一方、送信ＯＫであると判定された場合はステップＳ５に進む。
【０１２０】
ステップＳ５では、情報内容を携帯電話３０から外部に送信する。さらに、ステップＳ６において、表示された情報と、携帯電話３０からの送信内容とを比較し、本人を確認して、このルーチンを終了する。
【０１２１】
図１６は、本発明の画像表示装置の第３実施形態が組み込まれた携帯電話の内部の概略構成を示すブロック図である。
【０１２２】
尚、図１６に示す携帯電話４０の外観斜視図は、図１０、図１１に示す携帯電話３０の外観斜視図と同じであるため、図示省略する。また、図１０、図１１に示す携帯電話３０の構成要素と同じ構成要素には同一の符号を付し、異なる点について説明する。
【０１２３】
図１６に示す携帯電話４０は、図１０、図１１に示す携帯電話３０と比較し、画像表示装置３４０に代わる画像表示４５０が備えられている。
【０１２４】
図１７は、図１６に示す画像表示装置の分解斜視図である。
【０１２５】
この画像表示４５０は、前述した画像表示装置３４０と比較し、銘板３４１に無線タグ４３０が追加されている点が異なっている。
【０１２６】
図１８は、図１７に示す無線タグの外観図、図１９は、図１８に示す無線タグの断面図である。
【０１２７】
図１８に示す無線タグ４３０は、外部と通信を行なって受信情報の記録および記録された情報の送信を行ない、利用者を特定する利用者ＩＤ情報等が記録される無線タグ部４３１を内蔵したものである。この無線タグ４３１は、図１９に示すように、無線タグ４３０を構成する表面部材４３０ａと裏面部材４３０ｂとの間に内蔵されており、この無線タグ部４３１は、基板４３２と、その基板４３２上に形成された半導体回路４３３および電磁誘導コイルからなるアンテナ部４３４を有する。
【０１２８】
図２０は、図１９に示す無線タグ部の回路構成を示す図である。
【０１２９】
無線タグ部４３１を構成する半導体回路４３３には、送受信部４３３＿１と、制御部４３３＿２と、メモリ部４３３＿３と、ＡＣ／ＤＣ部４３３＿４とが備えられている。この無線タグ部４３１では、外部からの電波Ｗａをアンテナ部４３４で受信して交流電圧を生成する。
【０１３０】
ＡＣ／ＤＣ部４３３＿４は、アンテナ部４３４で生成された交流電圧を直流電圧に変換して、送受信部４３３＿１，制御部４３３＿２，メモリ部４３３＿３に供給する。
【０１３１】
送受信部４３３＿１は、電波Ｗａに含まれる情報を受信して制御部４３３＿２に出力するとともに、その送受信部４３３＿１からの情報をアンテナ部４３４を介して電波Ｗｂとして外部に向けて送信する。
【０１３２】
制御部４３３＿２は、送受信部４３３＿１とメモリ部４３３＿３とのデータ処理の制御を行なう。
【０１３３】
メモリ部４３３＿３は、不揮発性のメモリから構成されており、このメモリ部４３３＿３には、この携帯電話４０の持ち主のＩＤ情報が記録される。記録にあたっては、この携帯電話４０の契約時に行なわれる。
【０１３４】
図２１は、無線タグとの送受信を行なう送受信器の回路構成を示す図である。
【０１３５】
図２１に示す送受信器４４０は、センタに設置された情報端末に備えられており、この送受信器４４０には、電磁誘導コイル４４１と、送受信部４４２と、制御部４４３と、Ｉ／Ｆ部４４４とが備えられている。
【０１３６】
電磁誘導コイル４４１は、無線タグ部４３１に向けて電波Ｗａを送信するとともに、その無線タグ部４３１からの電波Ｗｂを受信する。
【０１３７】
送受信部４４２は、制御部４４３からの情報を電磁誘導コイル４４１に出力するとともに、電磁誘導コイル４４１を介して電磁波Ｗｂに含まれる情報を受信する。
【０１３８】
制御部４４３は、送受信部４４２とＩ／Ｆ部４４４とのデータ処理の制御を行なう。
【０１３９】
Ｉ／Ｆ部４４４は、情報端末に備えられた制御部（図示せず）に接続されており、このＩ／Ｆ部４４４は、制御部４４３からの情報を情報端末側の制御部に向けて出力したり、その制御部からの情報を制御部４４３に出力する。
【０１４０】
図２２は、本人である旨を無線タグで確認するための処理ルーチンのフローチャートである。
【０１４１】
先ず、ステップＳ１１において、操作部による電源オフ指示か否かが判定される。電源オフの指示でないと判定された場合はこのルーチンを終了する。一方、電源オフの指示であると判定された場合は、ステップＳ１２に進む。ステップＳ１２では、電源をオフする。この状態で、情報端末側で、携帯電話の無線タグへのアクセスが行なわれる。
【０１４２】
ステップＳ１３では、情報端末側において無線タグでの送信が行なわれたか否かが判定される。無線タグでの送信が行なわれていないと判定された場合はこのステップＳ１３を繰り返し実行する。一方、無線タグでの送信が行なわれたと判定された場合はステップＳ１４に進む。
【０１４３】
ステップＳ１４では、情報端末で無線タグの情報を取得する。さらに、ステップＳ１５において、情報表示（情報端末に登録されている画像表示装置４５０で視認されるＩＤ番号）と、無線タグの通信内容とを比較し、本人を確認して、このルーチンを終了する。このようにして、携帯電話４０に電源が入っていない状態においても、本人（持ち主）である旨を確認することができる。
【図面の簡単な説明】
【０１４４】
【図１】本発明の画像表示装置の第１実施形態が組み込まれたデジタルカメラを前面斜め上から見た外観斜視図である。
【図２】図１に示すデジタルカメラを背面斜め上から見た外観斜視図である。
【図３】図１、図２に示すデジタルカメラの回路構成を示すブロック図である。
【図４】図３に示す画像表示装置の分解斜視図である。
【図５】図４に示す透明トランジスタの作成手順を示した断面図である。
【図６】図５に示す透明電極を有するＰ1層，Ｎ層，Ｐ2層を上から見た図である。
【図７】ホログラフィック液晶方式の原理を説明するための模式図である。
【図８】コレステリック液晶選択反射方式の原理を説明するための模式図である。
【図９】図４に示す機銘板の部分を拡大して示す図である。
【図１０】本発明の画像表示装置の第２実施形態が組み込まれた携帯電話の、表面を示す外観斜視図である。
【図１１】本発明の画像表示装置の第２実施形態が組み込まれた携帯電話の、裏面を示す外観斜視図である。
【図１２】図１０、図１１に示す携帯電話の内部の概略構成を示すブロック図である。
【図１３】図１２に示す画像表示装置の分解斜視図である。
【図１４】図１３に示す銘板の部分を拡大して示す図である。
【図１５】図１０、図１１に示す携帯電話の、本人である旨を確認するための処理ルーチンのフローチャートである。
【図１６】本発明の画像表示装置の第３実施形態が組み込まれた携帯電話の内部の概略構成を示すブロック図である。
【図１７】図１６に示す画像表示装置の分解斜視図である。
【図１８】図１７に示す無線タグの外観図である。
【図１９】図１８に示す無線タグの断面図である。
【図２０】図１９に示す無線タグ部の回路構成を示す図である。
【図２１】無線タグとの送受信を行なう送受信器の回路構成を示す図である。
【図２２】本人である旨を無線タグで確認するための処理ルーチンのフローチャートである。
【符号の説明】
【０１４５】
１０  デジタルカメラ
１０＿１  ズーム鏡胴
１０＿１ａ  撮影レンズ
１０＿２  フラッシュ発光装置
１０＿３  フラッシュ調光センサ
１０＿４  光学式ファインダ対物窓
１０＿５  電源スイッチ
１０＿６  イルミネーションランプ
１０＿７  シャッタボタン
１０＿２２  光学式ファインダ接眼窓
１０＿２３  ファインダランプ
１０＿２４  モードスイッチ
１０＿２５  マクロボタン
１０＿２６  ズームボタン
１０＿２７  フラッシュボタン
１０＿２９  ＭＥＮＵ／ＯＫボタン
１０＿３０  ＢＡＣＫボタン
１０＿３１  ＤＩＳＰボタン
１０＿３２  透過モードボタン
１０＿３３  収容蓋
２０，３４０，４５０  画像表示装置
２１  画像表示パネル
２１＿１  反射型表示板
２１＿２  駆動回路
２１＿１０，２１＿２０  反射型表示板
２１＿１１，２１＿２１  液晶分子
２１＿１２  ポリマー
２１＿１３  封止部材
２１＿２２  透明電極
２２  機銘板
２２＿１  機銘板の部分
２２＿１ａ  名称部
２２＿１ｂ  機種名部
２２＿１ｃ  安全規格認証部
２２＿１ｄ  ＶＣＣＩ規格認証マーク部
２２＿１ｅ  ロット番号部
２２＿１ｆ  会社名部
２２＿１ｇ  国名部
３０，４０  携帯電話
１１１，１１２，１１３  モータドライバ
１１４  ＣＣＤ
１１５  タイミングジェネレータ
１１６  ＭＰＵ
１１６ａ  ＲＯＭ
１１７  ＣＤＳＡＭＰ
１１８  Ａ／Ｄ変換部
１１９  画像入力コントローラ
１２０  画像信号処理部
１２１  圧縮処理部
１２２  Ｖｉｄｅｏ／ＬＣＤエンコーダ
１２４  ＡＥ＆ＡＷＢ検出部
１２３  ＡＦ検出部
１２５  メモリ（ＳＤＲＡＭ）
１２６  ＶＲＡＭ
１２７  メディアコントローラ
２３１  透明トランジスタ
２３１＿１  透明絶縁層
２３１＿２  Ｐ1層
２３１＿２ａ，２３１＿３ａ，２３１＿４ａ  透明電極
２３１＿３  Ｎ層
２３１＿４  Ｐ2層
３１０  上部
３１２  送話口
３１３  アンテナ
３１４  撮影レンズ部
３１４＿２  撮影レンズ
３２０  下部
３２１  操作部
３２１＿１，３２１＿２  操作ボタン
３２２  受話口
３３１  ＣＣＤ固体撮像素子
３３２  画像処理部
３３３  記録部
３３４  制御部
３３５  通信部
３３６  マイクロホン
３３７  スピーカ
３４１  銘板
３４１＿１  銘板の部分
４３０  無線タグ
４３１  無線タグ部
４３０ａ  表面部材
４３０ｂ  裏面部材
４３２  基板
４３３  半導体回路
４３３＿１  送受信部
４３３＿２  制御部
４３３＿３  メモリ部
４３３＿４  ＡＣ／ＤＣ部
４３４  アンテナ部
４４０  送受信器
４４１  電磁誘導コイル
４４２  送受信部
４４３  制御部
４４４  Ｉ／Ｆ部
【図１】
2006235480.tif 000003
【図２】
2006235480.tif 000004
【図３】
2006235480.tif 000005
【図４】
2006235480.tif 000006
【図５】
2006235480.tif 000007
【図６】
2006235480.tif 000008
【図７】
2006235480.tif 000009
【図８】
2006235480.tif 000010
【図９】
2006235480.tif 000011
【図１０】
2006235480.tif 000012
【図１１】
2006235480.tif 000013
【図１２】
2006235480.tif 000014
【図１３】
2006235480.tif 000015
【図１４】
2006235480.tif 000016
【図１５】
2006235480.tif 000017
【図１６】
2006235480.tif 000018
【図１７】
2006235480.tif 000019
【図１８】
2006235480.tif 000020
【図１９】
2006235480.tif 000021
【図２０】
2006235480.tif 000022
【図２１】
2006235480.tif 000023
【図２２】
2006235480.tif 000024